(57)【要約】【課題】フック装置を利用して、起立状態にされた板状体を安定的に支持できるようにする。【解決手段】収納位置にある第一フック体２のこの収納状態を解除可能に維持する第一維持手段１０と、収納位置にある第二フック体３のこの収納状態を解除可能に維持する第二維持手段１１とを備えている。第一フック体２のフック端２０の形成側と第二フック体３のフック端２０の形成側との間には、支持対象となる板状体Ｐの上下方向に沿った端部Ｐａを挟み込み可能な間隔ｘが常時確保されるようにしてある。突出位置にある第一フック体２の側部２１に板状体Ｐが突き当てられることを契機として第二維持手段１１による第二フック体３の収納状態の維持が解除されるようにしてある。【選択図】図３
2005075100.tif 000002
【特許請求の範囲】
【請求項１】
壁部に組み込まれる前面を開放させたケース体と、
このケース体に対しケース体内に納まった収納位置からフック端をケース体から突き出させた突出位置まで移動可能に組み合わされた第一フック体と、
前記第一フック体に隣り合うようにして、前記ケース体に対しケース体内に納まった収納位置からフック端をケース体から突き出させた突出位置まで移動可能に組み合わされた第二フック体と、
収納位置にある第一フック体のこの収納状態を解除可能に維持する第一維持手段と、
収納位置にある第二フック体のこの収納状態を解除可能に維持する第二維持手段とを備えており、
少なくとも第一フック体のフック端の形成側と第二フック体のフック端の形成側との間には、支持対象となる板状体の上下方向に沿った端部を挟み込み可能な間隔が常時確保されるようにしてあると共に、
突出位置にある第一フック体の側部に板状体が突き当てられることを契機として第二維持手段による第二フック体の収納状態の維持が解除されるようにしてあることを特徴とするフック装置。
【請求項２】
壁部に組み込まれる前面を開放させたケース体と、
横向きに配された軸体によってこのケース体に対しケース体内に納まった起立位置からフック端をケース体から突き出させた伏倒位置まで回動可能に組み合わされた第一フック体と、
前記軸体によって、前記第一フック体に隣り合うようにして、前記ケース体に対しケース体内に納まった起立位置からフック端をケース体から突き出させた伏倒位置まで回動可能に組み合わされた第二フック体と、
第一フック体を伏倒位置に向けて常時付勢する第一旋回方向付勢手段と、
第二フック体を伏倒位置に向けて常時付勢する第二旋回方向付勢手段と、
第一フック体を第二フック体に押しつける向きに常時付勢する第一横方向付勢手段と、
第二フック体を第一フック体に押しつける向きに常時付勢する第二横方向付勢手段と、
起立位置にある第一フック体のこの起立状態を第一旋回方向付勢手段の付勢に抗して解除可能に維持させる第一掛合手段と、
起立位置にある第二フック体のこの起立状態を第二旋回方向付勢手段の付勢に抗して解除可能に維持させる第二掛合手段とを備えており、
少なくとも第一フック体のフック端の形成側と第二フック体のフック端の形成側との間には、支持対象となる板状体の上下方向に沿った端部を挟み込み可能な間隔が常時確保されるようにしてあると共に、
第一フック体及び第二フック体が共に、軸体の軸線に沿って、所定のストローク分横向きに移動可能になっており、伏倒位置にある第一フック体の側部に板状体が突き当てられることによる第一横方向付勢手段の付勢に抗した第一フック体の移動によって第二横方向付勢手段の付勢により第二フック体が横向きに移動され、この移動によって第二掛合手段と第二フック体との掛合が解かれるようにしてあることを特徴とするフック装置。
【請求項３】
壁部に組み込まれる前面を開放させたケース体と、
このケース体に対しケース体内に納まった後退位置からフック端をケース体から突き出させた前進位置まで出没可能に組み合わされた第一フック体と、
前記第一フック体に隣り合うようにして、前記ケース体に対しケース体内に納まった後退位置からフック端をケース体から突き出させた前進位置まで出没可能に組み合わされた第二フック体と、
後退位置にある第一フック体のこの後退状態を維持すると共に最初の押し込み操作によってこれを解除してこの第一フック体を前進位置に移動させ、かつ、次の押し込み操作によってこの第一フック体を後退位置に移動させ、再びこの後退状態を維持させる第一プッシュ−プッシュ式ラッチ手段と、
後退位置にある第二フック体のこの後退状態を維持すると共に最初の押し込み操作によってこれを解除してこの第二フック体を前進位置に移動させ、かつ、次の押し込み操作によってこの第二フック体を後退位置に移動させ、再びこの後退状態を維持させる第二プッシュ−プッシュ式ラッチ手段と、
第一フック体を第二フック体に近づける向きに常時付勢する横向き付勢手段とを備えており、
少なくとも第一フック体のフック端の形成側と第二フック体のフック端の形成側との間には、支持対象となる板状体の上下方向に沿った端部を挟み込み可能な間隔が常時確保されるようにしてあると共に、
第一フック体は、所定のストローク分横向きに移動可能になっており、
しかも、第二フック体には、前進位置にある第一フック体の側部に板状体が突き当てられることによる横向き付勢手段の付勢に抗した第一フック体の移動によって、この第一フック体に形成されたカム部に押し当てられて第二フック体を押し込み移動させる被カム部が形成されており、この押し込み移動が第二プッシュ−プッシュ式ラッチ手段の最初の押し込み操作に代わるようにしてあることを特徴とするフック装置。
【発明の詳細な説明】
【技術分野】
【０００１】
この発明は、フック体を有し、このフック体によって各種の物品などを引っかけて吊り下げ状に支持する機能を持つと共に、板状体の上下方向に沿った端部を挟み込み状に支持して、この板状体の起立状態を維持する機能を併せ持ったフック装置に関する。
【背景技術】
【０００２】
自動車の室内などにおいて、各種の物品などを吊り下げ状に支持するフック装置ないしハンガーとして、特許文献１および特許文献２に示される出没式のものがある。
【０００３】
しかるに、これらのものはフックとしての機能しか有していないものであった。
【特許文献１】実開昭６１−１９０７３０号公報
【特許文献２】実開昭６２−１８５１４１号公報
【発明の開示】
【発明が解決しようとする課題】
【０００４】
解決しようとする課題は、自動車の室内などにおいて各種の物品などを吊り下げ状に支持するために用いられるフック装置を利用して、起立状態にされた板状体を安定的に支持できるようにする点にある。
【課題を解決するための手段】
【０００５】
この発明の前記課題は、フック装置を、以下の（１）〜（７）の要素を有するものとすることで、達成することができる。
（１）壁部に組み込まれる前面を開放させたケース体と、
（２）このケース体に対しケース体内に納まった収納位置からフック端をケース体から突き出させた突出位置まで移動可能に組み合わされた第一フック体と、
（３）前記第一フック体に隣り合うようにして、前記ケース体に対しケース体内に納まった収納位置からフック端をケース体から突き出させた突出位置まで移動可能に組み合わされた第二フック体と、
（４）収納位置にある第一フック体のこの収納状態を解除可能に維持する第一維持手段と、
（５）収納位置にある第二フック体のこの収納状態を解除可能に維持する第二維持手段とを備えており、
（６）少なくとも第一フック体のフック端の形成側と第二フック体のフック端の形成側との間には、支持対象となる板状体の上下方向に沿った端部を挟み込み可能な間隔が常時確保されるようにしてあると共に、
（７）突出位置にある第一フック体の側部に板状体が突き当てられることを契機として第二維持手段による第二フック体の収納状態の維持が解除されるようにしてある。
【０００６】
かかるフック装置によれば、
（１）第一フック体と第二フック体を共に収納位置におくことにより、壁部に組み込まれたフック装置を邪魔にならないようにしておくことができる。
（２）第一フック体および第二フック体の双方またはいずれか一方を突出位置におくことにより、この突出位置にあるフック体を利用して各種の物品を吊り下げ状に壁部に支持させることができる。両フック体を共に突出位置におけば、壁部に同時に二カ所の引っ掛け可能な部分を持たせることができる。
（３）第一フック体のフック端と第二フック体のフック端との間には、支持対象となる板状体の上下方向に沿った端部を挟み込み可能な間隔が常時確保されるようにしてあることから、起立状態にある板状体のかかる端部を両フック体を共に突出位置においた状態において挟み込み、この板状体の起立状態を維持させることができる。
（４）また、突出位置にある第一フック体の側部に板状体が突き当てられることを契機として第二維持手段による第二フック体の収納状態の維持が解除されるようにしてあることから、第一維持手段による第一フック体の収納状態の維持を解除して第一フック体を突出させた後、突出された第一フック体の側部に板状体の端部側にある板面を突き当てさせる位置まで板状体を移動させることにより、第二フック体を突出させることができ、これによりスムースにかかる板状体の端部を両フック体によって挟み込み状に支持させることができる。
（５）板状体の起立状態の維持の解除は、第二フック体を再び収納位置に戻し、第二維持手段によってこの収納状態を維持させるようにすることで簡単になすことができる。
【０００７】
また、この発明の前記課題は、フック装置を、以下の（１）〜（１１）の要素を有するものとすることでも、達成することができる。
（１）壁部に組み込まれる前面を開放させたケース体と、
（２）横向きに配された軸体によってこのケース体に対しケース体内に納まった起立位置からフック端をケース体から突き出させた伏倒位置まで回動可能に組み合わされた第一フック体と、
（３）前記軸体によって、前記第一フック体に隣り合うようにして、前記ケース体に対しケース体内に納まった起立位置からフック端をケース体から突き出させた伏倒位置まで回動可能に組み合わされた第二フック体と、
（４）第一フック体を伏倒位置に向けて常時付勢する第一旋回方向付勢手段と、
（５）第二フック体を伏倒位置に向けて常時付勢する第二旋回方向付勢手段と、
（６）第一フック体を第二フック体に押しつける向きに常時付勢する第一横方向付勢手段と、
（７）第二フック体を第一フック体に押しつける向きに常時付勢する第二横方向付勢手段と、
（８）起立位置にある第一フック体のこの起立状態を第一旋回方向付勢手段の付勢に抗して解除可能に維持させる第一掛合手段と、
（９）起立位置にある第二フック体のこの起立状態を第二旋回方向付勢手段の付勢に抗して解除可能に維持させる第二掛合手段とを備えており、
（１０）少なくとも第一フック体のフック端の形成側と第二フック体のフック端の形成側との間には、支持対象となる板状体の上下方向に沿った端部を挟み込み可能な間隔が常時確保されるようにしてあると共に、
（１１）第一フック体及び第二フック体が共に、軸体の軸線に沿って、所定のストローク分横向きに移動可能になっており、伏倒位置にある第一フック体の側部に板状体が突き当てられることによる第一横方向付勢手段の付勢に抗した第一フック体の移動によって第二横方向付勢手段の付勢により第二フック体が横向きに移動され、この移動によって第二掛合手段と第二フック体との掛合が解かれるようにしてある。
【０００８】
かかるフック装置によれば、
（１）第一フック体と第二フック体を共に起立位置におくことにより、壁部に組み込まれたフック装置を邪魔にならないようにしておくことができる。
（２）第一フック体および第二フック体の双方またはいずれか一方を伏倒位置におくことにより、この伏倒位置にあるフック体を利用して各種の物品を吊り下げ状に壁部に支持させることができる。両フック体を共に伏倒位置におけば、壁部に同時に二カ所の引っ掛け可能な部分を持たせることができる。第一フック体は第一旋回方向付勢手段により、また、第二フック体は第二旋回方向付勢手段により、共に伏倒位置に向けて回動する向きに常時付勢されており、第一フック体の起立状態は第一掛合手段によって、第二フック体の起立状態は第二掛合手段によって解除可能に維持されていることから、第一掛合手段の掛合を解除することにより第一フック体は伏倒位置までワンタッチで回動され、第二掛合手段の掛合を解除することにより第二フック体は伏倒位置までワンタッチで回動される。伏倒位置にある第一フック体は第一旋回方向付勢手段の付勢に抗して起立位置に戻し再び第一掛合手段の掛合を受けるようにすることにより、また、伏倒位置にある第二フック体は第二旋回方向付勢手段の付勢に抗して起立位置に戻し再び第二掛合手段の掛合を受けるようにすることにより、それぞれ起立状態に復帰される。
（３）第一フック体のフック端と第二フック体のフック端との間には、支持対象となる板状体の上下方向に沿った端部を挟み込み可能な間隔が常時確保されるようにしてあることから、起立状態にある板状体のかかる端部を両フック体を共に伏倒位置においた状態において挟み込み、この板状体の起立状態を維持させることができる。
（４）第一フック体を伏倒位置に回動させた状態からこの第一フック体の側部に板状体の端部側にある板面を突き当てさせる位置まで板状体を移動させると、この板状体の突き当たりにより第一フック体は第一横方向付勢手段の付勢に抗して前記所定のストローク分第二フック体から離れ出す向きに移動される。このように第一フック体が移動されると第二横方向付勢手段の付勢により第二フック体はこの所定のストローク分第一フック体に近づく向きに移動され、これにより第二フック体と第二掛合手段との掛合が解かれる。この掛合の解除によって第二フック体は第二旋回方向付勢手段の付勢によって伏倒位置に回動され、先に伏倒位置にある第一フック体とこのように次いで回動された第二フック体との間で板状体の端部を挟み込み状に支持させることができる。
（５）板状体の起立状態の維持の解除は、第二フック体を再び起立位置に戻し、第二掛合手段によってこの起立状態を維持させるようにすることで簡単になすことができる。
【０００９】
また、この発明の前記課題は、フック装置を、以下の（１）〜（９）の要素を有するものとすることでも、達成することができる。
（１）壁部に組み込まれる前面を開放させたケース体と、
（２）このケース体に対しケース体内に納まった後退位置からフック端をケース体から突き出させた前進位置まで出没可能に組み合わされた第一フック体と、
（３）前記第一フック体に隣り合うようにして、前記ケース体に対しケース体内に納まった後退位置からフック端をケース体から突き出させた前進位置まで出没可能に組み合わされた第二フック体と、
（４）後退位置にある第一フック体のこの後退状態を維持すると共に最初の押し込み操作によってこれを解除してこの第一フック体を前進位置に移動させ、かつ、次の押し込み操作によってこの第一フック体を後退位置に移動させ、再びこの後退状態を維持させる第一プッシュ−プッシュ式ラッチ手段と、
（５）後退位置にある第二フック体のこの後退状態を維持すると共に最初の押し込み操作によってこれを解除してこの第二フック体を前進位置に移動させ、かつ、次の押し込み操作によってこの第二フック体を後退位置に移動させ、再びこの後退状態を維持させる第二プッシュ−プッシュ式ラッチ手段と、
（６）第一フック体を第二フック体に近づける向きに常時付勢する横向き付勢手段とを備えており、
（７）少なくとも第一フック体のフック端の形成側と第二フック体のフック端の形成側との間には、支持対象となる板状体の上下方向に沿った端部を挟み込み可能な間隔が常時確保されるようにしてあると共に、
（８）第一フック体は、所定のストローク分横向きに移動可能になっており、
（９）しかも、第二フック体には、前進位置にある第一フック体の側部に板状体が突き当てられることによる横向き付勢手段の付勢に抗した第一フック体の移動によって、この第一フック体に形成されたカム部に押し当てられて第二フック体を押し込み移動させる被カム部が形成されており、この押し込み移動が第二プッシュ−プッシュ式ラッチ手段の最初の押し込み操作に代わるようにしてある。
【００１０】
かかるフック装置によれば、
（１）第一フック体と第二フック体を共に後退位置におくことにより、壁部に組み込まれたフック装置を邪魔にならないようにしておくことができる。
（２）第一フック体および第二フック体の双方またはいずれか一方を前進位置におくことにより、この前進位置にあるフック体を利用して各種の物品を吊り下げ状に壁部に支持させることができる。両フック体を共に前進位置におけば、壁部に同時に二カ所の引っ掛け可能な部分を持たせることができる。第一フック体は第一プッシュ−プッシュ式ラッチ手段により、また、第二フック体は第二プッシュ−プッシュ式ラッチ手段により、共に前進位置に向けて移動する向きに常時付勢されていることから、最初の押し込み操作により第一フック体は前進位置までワンタッチで移動され、また、最初の押し込み操作により第二フック体は前進位置までワンタッチで移送される。前進位置にある第一フック体は再度の押し込み操作により、また、前進位置にある第二フック体も再度の押し込み操作により、それぞれ後退状態に復帰される。
（３）第一フック体のフック端と第二フック体のフック端との間には、支持対象となる板状体の上下方向に沿った端部を挟み込み可能な間隔が常時確保されるようにしてあることから、起立状態にある板状体のかかる端部を両フック体を共に前進位置においた状態において挟み込み、この板状体の起立状態を維持させることができる。
（４）第一フック体を前進位置に移動させた状態からこの第一フック体の側部に板状体の端部側にある板面を突き当てさせる位置まで板状体を移動させると、この板状体の突き当たりにより第一フック体は横方向付勢手段の付勢に抗して第二フック体から離れ出す向きに移動される。このように第一フック体が移動されると第二フック体の被カム部に第一フック体のカム部が押し当てられ、これにより後退位置にある第二フック体が押し込まれ第二プッシュ−プッシュ式ラッチ手段による後退位置の維持が解かれる。これにより第二フック体は第二プッシュ−プッシュ式ラッチ手段の付勢によって前進位置に移動され、先に前進位置にある第一フック体とこのように次いで移動された第二フック体との間で板状体の端部を挟み込み状に支持させることができる。
（５）板状体の起立状態の維持の解除は、前進位置にある第二フック体を押し込み操作して後退位置に戻し、第二プッシュ−プッシュ式ラッチ手段によってこの後退状態を維持させるようにすることで簡単になすことができる。
【発明の効果】
【００１１】
この発明にかかるフック装置によれば、自動車の室内などにおいて各種の物品などを吊り下げ状に支持することができると共に、起立状態にされた板状体を安定的に支持することができる。
【発明を実施するための最良の形態】
【００１２】
以下、図１ないし図１１に基づいて、この発明を実施するための最良の形態について説明する。
なお、ここで図１ないし図６は、具体的な実施例の一つにかかるフック装置Ｆをそれぞれ示しており、また、図７ないし図１１は、具体的な実施例の他の一つにかかるフック装置Ｆをそれぞれ示している。図６および図１０の状態において、起立状態にある板状体Ｐの上下方向にある端部Ｐａをフック装置Ｆを構成する第一フック体２と第二フック体３との間で挟み込み、この起立状態を維持している。
【００１３】
この実施の形態にかかるフック装置Ｆは、フック体２、３を有し、このフック体２、３によって各種の物品などを引っかけて吊り下げ状に支持する機能を持つと共に、板状体Ｐの上下方向に沿った端部Ｐａを挟み込み状に支持して、この板状体Ｐの起立状態を維持する機能を併せ持ったものである。
【００１４】
かかるフック装置Ｆは、典型的には、自動車などの乗り物の室内の壁部Ｈなどに取り付けられて、こうした乗り物の室内においてそのフック体をもって衣服や袋物、コードやネットなどの各種の物品を引っかけ状に支持するように用いられると共に、こうした乗り物の室内において必要に応じて起立状態をとるように可動される各種の板状体Ｐにおけるこの起立状態を維持させるように用いられる。
【００１５】
こうした板状体Ｐとしては、自動車に用いられる場合を例にとれば、ワゴンタイプの自動車のリヤトランクを伏倒状態において塞ぐリヤトランクボードなどが予定される。かかるリヤトランクボードを起立させることによりリヤトランクは開放されることとなるが、このように起立されたリヤトランクボードの上下方向に沿った端部Ｐａを自動車の室内の壁部Ｈに取り付けさせたフック装置Ｆによって支持することにより、このリヤトランクの開放状態を安定的に維持することができることとなる。
【００１６】
かかるフック装置Ｆは、
（１）ケース体１と、
（２）第一フック体２と、
（３）第二フック体３と、
を備えている。
【００１７】
ケース体１は、前面を開放させており、この開放された前面を前にして壁部Ｈに組み込まれるように構成されている。
【００１８】
第一フック体２は、かかるケース体１に対しケース体１内に納まった収納位置からフック端をケース体１から突き出させた突出位置まで移動可能に組み合わされている。
【００１９】
また、第二フック体３は、前記第一フック体２に隣り合うようにして、前記ケース体１に対しケース体１内に納まった収納位置からフック端をケース体１から突き出させた突出位置まで移動可能に組み合わされている。
【００２０】
また、かかるフック装置Ｆには、
収納位置にある第一フック体２のこの収納状態を解除可能に維持する第一維持手段１０と、
収納位置にある第二フック体３のこの収納状態を解除可能に維持する第二維持手段１１とが備えられている。
【００２１】
また、少なくとも第一フック体２のフック端２０の形成側と第二フック体３のフック端２０の形成側との間には、支持対象となる板状体Ｐの上下方向に沿った端部Ｐａを挟み込み可能な間隔ｘが常時確保されるようにしてある。
【００２２】
そして、かかるフック装置Ｆにあっては、突出位置にある第一フック体２の側部２１に板状体Ｐが突き当てられることを契機として第二維持手段１１による第二フック体３の収納状態の維持が解除されるようにしてある。
【００２３】
これにより、かかるフック装置Ｆにあっては、
（１）第一フック体２と第二フック体３を共に収納位置におくことにより、壁部Ｈに組み込まれたフック装置Ｆを邪魔にならないようにしておくことができる。
（２）第一フック体２および第二フック体３の双方またはいずれか一方を突出位置におくことにより、この突出位置にあるフック体を利用して各種の物品を吊り下げ状に壁部Ｈに支持させることができる。両フック体を共に突出位置におけば、壁部Ｈに同時に二カ所の引っ掛け可能な部分を持たせることができる。
（３）第一フック体２のフック端２０と第二フック体３のフック端２０との間には、支持対象となる板状体Ｐの上下方向に沿った端部Ｐａを挟み込み可能な間隔ｘが常時確保されるようにしてあることから、起立状態にある板状体Ｐのかかる端部Ｐａを両フック体２、３を共に突出位置においた状態において挟み込み、この板状体Ｐの起立状態を維持させることができる。
（４）また、突出位置にある第一フック体２の側部２１に板状体Ｐが突き当てられることを契機として第二維持手段１１による第二フック体３の収納状態の維持が解除されるようにしてあることから、第一維持手段１０による第一フック体２の収納状態の維持を解除して第一フック体２を突出させた後、突出された第一フック体２の側部２１に板状体Ｐの端部Ｐａ側にある板面を突き当てさせる位置まで板状体Ｐを移動させることにより、第二フック体３を突出させることができ、これによりスムースにかかる板状体Ｐの端部Ｐａを両フック体２、３によって挟み込み状に支持させることができる。
（５）板状体Ｐの起立状態の維持の解除は、第二フック体３を再び収納位置に戻し、第二維持手段１１によってこの収納状態を維持させるようにすることで簡単になすことができる。
【００２４】
図１ないし図６は、かかるフック装置Ｆの具体的な実施形態の一つを示している。
【００２５】
図１ないし図６に示される例にあっては、第一フック体２と第二フック体３とが共にケース体１に起立状態に納められ、かつ、共に回動されて伏倒位置まで移動され、この伏倒状態においてフックとして利用され、また、板状体Ｐの端部Ｐａを挟み込むように機能するものとなっている。かかる例にあっては、両フック体２、３は起立位置においてほぼ鉛直方向に沿って配され、伏倒位置においてほぼ水平方向に配されるようになっている。すなわち、かかる例にあっては、両フック体２、３の起立位置がケース体１への収納位置となり、両フック体２、３の伏倒位置が突出位置となる。
【００２６】
かかる例にあっては、ケース体１は、天板部１００と、底板部１０１と、一対の側板部１０２、１０２と、奥板部１０３とを有し、前面を開放させていると共に、奥板部１０３を先にして壁部Ｈに形成された取り付け穴Ｈａに入れ込まれて、この壁部Ｈに組み込まれるように構成されている。
【００２７】
ケース体１の前面側には、開放部１０４縁から側方に突き出すフランジ１０５が形成されており、このフランジ１０５の背面を壁部Ｈの表面に突き当てさせる位置まで、前記取り付け穴Ｈａにケース体１を入れ込めるようになっている。かかる例にあっては、天板部１００の外面にケース体１の開放部１０４側に一端を一体に連接させると共に、突き出し端に向かうに連れてこの開放部１０４側から次第に離れ出す向きに斜めに突き出す上部掛合片１０６が設けられていると共に、底板部１０１の外面にケース体１の奥板部１０３側に一端を一体に連接させると共に、突き出し端に向かうに連れてこの奥板部１０３側から次第に離れ出す向きに斜めに突き出す下部掛合片１０７が設けられており、前記取り付け穴Ｈａに上部掛合片１０６を斜め下方から入れ込ませた後、下部掛合片１０７の外面を取り付け穴Ｈａの下縁部に押しつけさせて一旦弾性変形させながらケース体１の下部側を取り付け穴Ｈａに入れ込み切らせることより、入れ込みきった位置での下部掛合片１０７の弾性復帰によって取り付け穴Ｈａにワンタッチで、かつ、強固にケース体１、つまり、フック装置Ｆを組み付けることができるようにしてある。
【００２８】
また、かかる例にあっては、第一フック体２は、横向きに配された軸体１０８によって前記ケース体１に対しケース体１内に納まった起立位置からフック端２０をケース体１から突き出させた伏倒位置まで回動可能に組み合わされている。
【００２９】
また、かかる例にあっては、第二フック体３は、前記軸体１０８によって、前記第一フック体２に隣り合うようにして、前記ケース体１に対しケース体１内に納まった起立位置からフック端２０をケース体１から突き出させた伏倒位置まで回動可能に組み合わされている。
【００３０】
具体的には、かかる例にあっては、ケース体１の下部側に、一対の側板部１０２、１０２間に亘るようにして軸体１０８が備え付けられている。そして、第一フックと第二フック体３とにおける起立位置における下端部に、それぞれ、このように配される軸体１０８が通される軸穴２００が形成してある。かかる軸穴２００は軸体１０８の外径よりも穴径をやや大きくするように構成されており、第一フック体２と第二フック体３はそれぞれ、この軸体１０８を中心として起立位置から伏倒位置まで回動可能に組み付けられると共に、この軸体１０８の軸線方向への移動を可能とした状態で組み付けられている。
【００３１】
両フック体２、３共に、軸穴２００の形成側と反対の側をフック端２０とするように構成されている。かかる例にあっては、両フック体２、３共に、軸穴２００の形成された前記下端から長さ方向ほぼ中程の位置までを軸体１０８の軸線方向において比較的太い基部２０１とし、この長さ方向中程の位置から起立状態における上端までの間を軸体１０８の軸線方向において基部２０１より細いアーム部２０２としている。そして、フック体２、３の伏倒位置において上方に向けられるアーム部２０２の先端面に上方に向けて突き出す突部２０３が形成されており、この突部２０３によって両フック体２、３のフック端２０が形成されている。
【００３２】
かかる第一フック体２のフック端２０の形成側と第二フック体３のフック端２０の形成側との間、より具体的には、第一フック体２のアーム部２０２と第二フック体３のアーム部２０２との間には、支持対象となる板状体Ｐの上下方向に沿った端部Ｐａを挟み込み可能な間隔ｘが常時確保されるようにしてある。
【００３３】
具体的には、図示の例にあっては、第一フック体２の基部２０１に対してそのアーム部２０２は、この基部２０１における第二フック体３の側に向けられた側部面との間に段差面２０４を形成させるようにして一体に連接されており、一方、第二フック体３の基部２０１に対してそのアーム部２０２は、この基部２０１における第一フック体２の側に向けられた側部面との間に段差面２０４を形成させるようにして一体に連接されており、これにより第一フック体２のアーム部２０２における第二フック体３の側に向けられた側部面と第二フック体３のアーム部２０２における第一フック体２の側に向けられた側部面との間に、前記間隔ｘが常時形成されるようになっている。
【００３４】
また、図示の例にあっては、第一フック体２の基部２０１における幅寸法と第二フック体３の基部２０１における幅寸法とを合わせた寸法よりもケース体１の両側板部１０２、１０２の内面間の寸法が大きくなるようにしてあり、第一フック体２及び第二フック体３が共に、軸体１０８の軸線に沿って、所定のストローク分横向きに移動可能になっている。そして、このストロークが後述する第二掛合手段の掛合代とほぼ等しいか、それより大きくなるようにしてある。
【００３５】
また、かかる例にあっては、フック装置Ｆが、
第一フック体２を伏倒位置に向けて常時付勢する第一旋回方向付勢手段と、
第二フック体３を伏倒位置に向けて常時付勢する第二旋回方向付勢手段と、
第一フック体２を第二フック体３に押しつける向きに常時付勢する第一横方向付勢手段と、
第二フック体３を第一フック体２に押しつける向きに常時付勢する第二横方向付勢手段とを備えている。
【００３６】
具体的には、図示の例にあっては、第一フック体２の基部２０１とこの第一フック体２の側にあるケース体１の側板部１０２との間に、前記軸体１０８にバネ巻回部を通して組み込まれてこのバネ巻回部によって第一フック体２の基部２０１をこの側板部１０２の内面から常時離れ出させる向きに付勢させると共に、バネ一端をケース体１に止め付け、かつ、バネ他端を第一フック体２に止め付けて、軸体１０８を中心として第一フック体２を常時伏倒位置に向けて回動させる向きに付勢させる第一ねじりコイルバネ１０９が配されている。すなわち、図示の例にあっては、この第一ねじりコイルバネ１０９が、前記第一旋回方向付勢手段として機能し、かつ、第一横方向付勢手段として機能するようになっている。
【００３７】
また、第二フック体３の基部２０１とこの第二フック体３の側にあるケース体１の側板部１０２との間に、前記軸体１０８にバネ巻回部を通して組み込まれてこのバネ巻回部によって第二フック体３の基部２０１をこの側板部１０２の内面から常時離れ出させる向きに付勢させると共に、バネ一端をケース体１に止め付け、かつ、バネ他端を第一フック体２に止め付けて、軸体１０８を中心として第二フック体３を常時伏倒位置に向けて回動させる向きに付勢させる第二ねじりコイルバネ１１０が配されている。すなわち、図示の例にあっては、この第二ねじりコイルバネ１１０が、前記第二旋回方向付勢手段として機能し、かつ、第二横方向付勢手段として機能するようになっている。
【００３８】
また、第一ねじりコイルバネ１０９の付勢力と第二ねじりコイルバネ１１０の付勢力はほぼ等しくなるようにしてある。
【００３９】
また、かかる例にあっては、フック装置Ｆが、
起立位置にある第一フック体２のこの起立状態を第一旋回方向付勢手段の付勢に抗して解除可能に維持させる第一掛合手段と、
起立位置にある第二フック体３のこの起立状態を第二旋回方向付勢手段の付勢に抗して解除可能に維持させる第二掛合手段とを備えている。
【００４０】
具体的には、図示の例にあっては、ケース体１の上部側において、一対の側板部１０２、１０２がそれぞれ、このケース体１の開放部１０４に溝前端を連通させた状態でケース体１の奥板部１０３側に延びる一対の割溝によって区分された弾性片１１１を持つようにされていると共に、この弾性片１１１の前端に、開放部１０４の縁部よりも内方に一部を入り込ませる掛合頭部１１２が備えられている。そして、起立位置にある両フック体２、３のアーム部２０２の前面に、この掛合頭部１１２における開放部１０４の縁部よりも内方に入り込んだ一部が前方から引っかかるようになっている。この掛合頭部１１２の引っかかりにより両フック体２、３の起立状態が維持される。また、この掛合頭部１１２の引っかかりは、この掛合頭部１１２の前面を操作面として前記弾性片１１１を外向きに弾性変形させることにより解くことができ、これにより第一フック体２は第一旋回方向付勢手段の付勢により、第二フック体３は第二旋回方向付勢手段の付勢により、伏倒位置まで回動される。すなわち、図示の例では、第一フック体２の側にあるケース体１の側板部１０２に形成された弾性片１１１と掛合頭部１１２とにより第一掛合手段が構成され、第二フック体３の側にあるケース体１の側板部１０２に形成された弾性片１１１と掛合頭部１１２とにより第二掛合手段が構成されている。
【００４１】
また、かかるフック装置Ｆにあっては、前述のように、第一フック体２及び第二フック体３が共に、軸体１０８の軸線に沿って、所定のストローク分横向きに移動可能になっており、伏倒位置にある第一フック体２の側部２１に板状体Ｐが突き当てられることによる第一横方向付勢手段の付勢に抗した第一フック体２の移動によって第二横方向付勢手段の付勢により第二フック体３が横向きに移動され、この移動によって第二掛合手段と第二フック体３との掛合が解かれるようにしてある。
【００４２】
すなわち、図示の例にあっては、前記ストロークが第二掛合手段の掛合代、つまり、前記掛合頭部１１２の掛合代とほぼ等しいか、それより大きくなるようにしてある。
【００４３】
これにより、かかるフック装置Ｆにあっては、
（１）第一フック体２と第二フック体３を共に起立位置におくことにより、壁部Ｈに組み込まれたフック装置Ｆを邪魔にならないようにしておくことができる。（図２、図４）
（２）第一フック体２および第二フック体３の双方またはいずれか一方を伏倒位置におくことにより、この伏倒位置にあるフック体を利用して各種の物品を吊り下げ状に壁部Ｈに支持させることができる。両フック体２、３を共に伏倒位置におけば、壁部Ｈに同時に二カ所の引っ掛け可能な部分を持たせることができる。第一フック体２は第一旋回方向付勢手段により、また、第二フック体３は第二旋回方向付勢手段により、共に伏倒位置に向けて回動する向きに常時付勢されており、第一フック体２の起立状態は第一掛合手段によって、第二フック体３の起立状態は第二掛合手段によって解除可能に維持されていることから、第一掛合手段の掛合を解除することにより第一フック体２は伏倒位置までワンタッチで回動され、第二掛合手段の掛合を解除することにより第二フック体３は伏倒位置までワンタッチで回動される。伏倒位置にある第一フック体２は第一旋回方向付勢手段の付勢に抗して起立位置に戻し再び第一掛合手段の掛合を受けるようにすることにより、また、伏倒位置にある第二フック体３は第二旋回方向付勢手段の付勢に抗して起立位置に戻し再び第二掛合手段の掛合を受けるようにすることにより、それぞれ起立状態に復帰される。
（３）第一フック体２のフック端２０と第二フック体３のフック端２０との間には、支持対象となる板状体Ｐの上下方向に沿った端部Ｐａを挟み込み可能な間隔ｘが常時確保されるようにしてあることから、起立状態にある板状体Ｐのかかる端部Ｐａを両フック体２、３を共に伏倒位置においた状態において挟み込み、この板状体Ｐの起立状態を維持させることができる。（図６）
（４）第一フック体２を伏倒位置に回動させた状態からこの第一フック体２の側部２１に板状体Ｐの端部Ｐａ側にある板面を突き当てさせる位置まで板状体Ｐを移動させると、この板状体Ｐの突き当たりにより第一フック体２は第一横方向付勢手段の付勢に抗して前記所定のストローク分第二フック体３から離れ出す向きに移動される。（図３）このように第一フック体２が移動されると第二横方向付勢手段の付勢により第二フック体３はこの所定のストローク分第一フック体２に近づく向きに移動され、（図３）これにより第二フック体３と第二掛合手段との掛合が解かれる。この掛合の解除によって第二フック体３は第二旋回方向付勢手段の付勢によって伏倒位置に回動され、先に伏倒位置にある第一フック体２とこのように次いで回動された第二フック体３との間で板状体Ｐの端部Ｐａを挟み込み状に支持させることができる。（図６）
（５）板状体Ｐの起立状態の維持の解除は、第二フック体３を再び起立位置に戻し、第二掛合手段によってこの起立状態を維持させるようにすることで簡単になすことができる。
【００４４】
図７ないし図１１は、かかるフック装置Ｆの具体的な実施形態の一つを示している。
【００４５】
図７ないし図１１に示される例にあっては、第一フック体２と第二フック体３とが共にケース体１に前後方向において出没可能に納められ、かつ、共に前進位置においてフックとして利用され、また、この前進位置において板状体Ｐの端部Ｐａを挟み込むように機能するものとなっている。すなわち、かかる例にあっては、両フック体２、３の後退位置がケース体１への収納位置となり、両フック体２、３の前進位置が突出位置となる。
【００４６】
かかる例にあっては、ケース体１は、天板部１１３と、底板部１１４と、一対の側板部１１５、１１５と、奥板部１１６とを有し、前面を開放させていると共に、奥板部１１６を先にして壁部Ｈに形成された取り付け穴Ｈａに入れ込まれて、この壁部Ｈに組み込まれるように構成されている。
【００４７】
ケース体１の前面側には、開放部１１７縁から側方に突き出すフランジ１１８が形成されており、このフランジ１１８の背面を壁部Ｈの表面に突き当てさせる位置まで、前記取り付け穴Ｈａにケース体１を入れ込めるようになっている。
【００４８】
また、かかる例にあっては、第一フック体２は、かかるケース体１に対しケース体１内に納まった後退位置からフック端２０をケース体１から突き出させた前進位置まで出没可能に組み合わされている。
【００４９】
また、かかる例にあっては、第二フック体３は、前記第一フック体２に隣り合うようにして、前記ケース体１に対しケース体１内に納まった後退位置からフック端２０をケース体１から突き出させた前進位置まで出没可能に組み合わされている。
【００５０】
具体的には、かかる例にあっては、ケース体１の一対の側板部１１５、１１５間に亘るようにして軸体１１９が備え付けられている。そして、第一フック体２と第二フック体３とにはそれぞれ、前後方向に長く延び、かつ、両フック体２、３の両側部において外方に開放された長穴２０６が形成されており、両フック体２、３はこのように配される軸体１１９をこの長穴２０６に通してケース体１に組み合わされるようになっている。第一フック体２と第二フック体３はそれぞれ、最大でこの長穴２０６の長さ分、後退位置と前進位置との間での出没移動ができるようになっている。
【００５１】
両フック体２、３共に、前端をフック端２０とするように構成されている。かかる例にあっては、両フック体２、３共に、フック体２、３の前端側の上面に上方に向けて突き出す突部２０７が形成されており、この突部２０７によって両フック体２、３のフック端２０が形成されている。
【００５２】
かかる第一フック体２のフック端２０の形成側と第二フック体３のフック端２０の形成側との間、より具体的には、第一フック体２の前端と第二フック体３の前端との間には、支持対象となる板状体Ｐの上下方向に沿った端部Ｐａを挟み込み可能な間隔ｘが常時確保されるようにしてある。
【００５３】
また、図示の例にあっては、第一フック体２は所定のストローク分、横向きに移動可能になっている。
【００５４】
また、かかる例にあっては、フック装置Ｆが、
後退位置にある第一フック体２のこの後退状態を維持すると共に最初の押し込み操作によってこれを解除してこの第一フック体２を前進位置に移動させ、かつ、次の押し込み操作によってこの第一フック体２を後退位置に移動させ、再びこの後退状態を維持させる第一プッシュ−プッシュ式ラッチ手段１２０と、
後退位置にある第二フック体３のこの後退状態を維持すると共に最初の押し込み操作によってこれを解除してこの第二フック体３を前進位置に移動させ、かつ、次の押し込み操作によってこの第二フック体３を後退位置に移動させ、再びこの後退状態を維持させる第二プッシュ−プッシュ式ラッチ手段１２１とを備えている。
【００５５】
具体的には、図示の例にあっては、第一プッシュ−プッシュ式ラッチ手段１２０および第二プッシュ−プッシュ式ラッチ手段１２１共に、
（１）棒状をなすフック体２、３の後端とケース体１の奥板部１１６との間に介装された圧縮コイルバネ１２２と、
（２）フック体の後端部Ｐａにおいて、ハート形の窪みをフック体２、３の前端側に向けるようにして形成されたハート島部１２３と、
（３）フック体の後端部Ｐａにおいて、このハート島部１２３を巡るようにして形成された巡回カム溝１２４と、
（４）ケース体１にピン一端を回動可能に組み付けられると共にピン他端を巡回カム溝１２４に入れ込ませたトレースピン１２５と、
（５）このトレースピン１２５のピン他端の上下方向への移動を許容させた状態でこのトレースピン１２５のピン他端が常時巡回カム溝１２４の溝底に圧接されるように付勢する押さえ板１２７とによって、構成されている。巡回カム溝１２４は往路と復路とがあり、図示しない溝底に形成された段差面によって、トレースピン１２５のピン他端は往路から復路へ、さらに、復路から往路へと規則的に案内されるようになっている。
【００５６】
トレースピン１２５のピン他端はフック体の後退位置において前記バネの付勢によりハート島部１２３の窪みに引っかかり、これによりフック体の後退状態が維持される。この状態からフック体の前端を指で押すなどしてフック体に対する最初の押し込み操作をするとトレースピン１２５のピン他端は前記窪みから抜け出し巡回カム溝１２４の往路に入り込み、前記バネの付勢によりフック体は前進位置まで突き出される。前進位置にあるフック体を再度押し込み操作すると、トレースピン１２５のピン他端は巡回カム溝１２４の復路に入り込み再びハート島部１２３の窪みに入り込む位置まで導かれる。この再度の押し込み操作を止めると前記バネの付勢によりトレースピン１２５のピン他端はハート島部１２３の窪みに再び引っかかり、これによりフック体の後退状態が再び維持される。
【００５７】
また、かかるフック装置Ｆにあっては、第一フック体２を第二フック体３に近づける向きに常時付勢する横向き付勢手段を備えている。
【００５８】
具体的には、図示の例にあっては、第一フック体２における第二フック体３の側に向いた側部と反対の側部と、この反対の側部に向き合ったケース体１の側板部１１５の内面との間に、前記軸体１１９に巻装された状態で圧縮コイルバネ１２６が配されており、この圧縮コイルバネ１２６によってかかる横向き付勢手段を構成させている。
【００５９】
また、かかるフック装置Ｆにあっては、第二フック体３には、前進位置にある第一フック体２の側部２１に板状体Ｐが突き当てられることによる横向き付勢手段の付勢に抗した第一フック体２の移動によって、この第一フック体２に形成されたカム部２０８に押し当てられて第二フック体３を押し込み移動させる被カム部２１０が形成されており、この押し込み移動が第二プッシュ−プッシュ式ラッチ手段１２１の最初の押し込み操作に代わるようにしてある。
【００６０】
具体的には、図示の例にあっては、第二フック体３に一端を一体に連接させて横向きに延び、他端に被カム部２１０を備えたアーム２１１がこの第二フック体３に備えられている。それと共に、第一フック体２に所定の位置でこの被カム部２１０に押し当たるカム部２０８が形成されている。
【００６１】
被カム部２１０は、カム部２０８に押し当てられるカム面２１２を、後方に向かうに連れて第二フック体３の側に近づけさせる向きに傾斜させている。一方、カム部２０８は、被カム部２１０に押し当たるカム面２０９を、被カム部２１０のカム面２１１に倣った傾斜を持つように構成させている。
【００６２】
第一フック体２および第二フック体３が共に後退位置にある状態から第一フック体２に最初の押し込み操作をなすと、第一プッシュ−プッシュ式ラッチ手段１２０の掛合が解除され第一フック体２は前進位置に向けて突き出すが、この段階では被カム部２１０はカム部２０８に突き当てられない位置にあり、アーム２１１の下をくぐるようにして第一フック体２は前進位置まで移動される。（図８から図９）
【００６３】
このように第一フック体２を前進位置においた状態から板状体Ｐを第一フック体２の側部２１に突き当てさせると、前記横向き付勢手段の付勢に抗する向き、つまり、第二フック体３から離れ出す向きに第一フック体２は移動される。そして、このように第一フック体２が移動された位置においてカム部２０８のカム面２０９が被カム部２１０のカム面２１２に突き当てられるようになっている。（図９）
【００６４】
このようにカム部２０８のカム面２０９と被カム部２１０のカム面２１２とが突き当てられると、両カム面２０９、２１２は前記のような傾斜を持っていることから、第二フック体３は後方に向けて押し込まれることとなり、この押し込みによって第二プッシュ−プッシュ式ラッチ手段１２１の掛合が解除され第二フック体３は前進位置まで突き出される。（図１０）
【００６５】
これにより、かかるフック装置Ｆにあっては、
（１）第一フック体２と第二フック体３を共に後退位置におくことにより、壁部Ｈに組み込まれたフック装置Ｆを邪魔にならないようにしておくことができる。
（２）第一フック体２および第二フック体３の双方またはいずれか一方を前進位置におくことにより、この前進位置にあるフック体を利用して各種の物品を吊り下げ状に壁部Ｈに支持させることができる。両フック体２、３を共に前進位置におけば、壁部Ｈに同時に二カ所の引っ掛け可能な部分を持たせることができる。第一フック体２は第一プッシュ−プッシュ式ラッチ手段１２０により、また、第二フック体３は第二プッシュ−プッシュ式ラッチ手段１２１により、共に前進位置に向けて移動する向きに常時付勢されていることから、最初の押し込み操作により第一フック体２は前進位置までワンタッチで移動され、また、最初の押し込み操作により第二フック体３は前進位置までワンタッチで移送される。前進位置にある第一フック体２は再度の押し込み操作により、また、前進位置にある第二フック体３も再度の押し込み操作により、それぞれ後退状態に復帰される。
（３）第一フック体２のフック端２０と第二フック体３のフック端２０との間には、支持対象となる板状体Ｐの上下方向に沿った端部Ｐａを挟み込み可能な間隔ｘが常時確保されるようにしてあることから、起立状態にある板状体Ｐのかかる端部Ｐａを両フック体２、３を共に前進位置においた状態において挟み込み、この板状体Ｐの起立状態を維持させることができる。
（４）第一フック体２を前進位置に移動させた状態からこの第一フック体２の側部２１に板状体Ｐの端部Ｐａ側にある板面を突き当てさせる位置まで板状体Ｐを移動させると、この板状体Ｐの突き当たりにより第一フック体２は横方向付勢手段の付勢に抗して第二フック体３から離れ出す向きに移動される。このように第一フック体２が移動されると第二フック体３の被カム部２１０に第一フック体２のカム部２０８が押し当てられ、これにより後退位置にある第二フック体３が押し込まれ第二プッシュ−プッシュ式ラッチ手段１２１による後退位置の維持が解かれる。これにより第二フック体３は第二プッシュ−プッシュ式ラッチ手段１２１の付勢によって前進位置に移動され、先に前進位置にある第一フック体２とこのように次いで移動された第二フック体３との間で板状体Ｐの端部Ｐａを挟み込み状に支持させることができる。
（５）板状体Ｐの起立状態の維持の解除は、前進位置にある第二フック体３を押し込み操作して後退位置に戻し、第二プッシュ−プッシュ式ラッチ手段１２１によってこの後退状態を維持させるようにすることで簡単になすことができる。
【図面の簡単な説明】
【００６６】
【図１】フック装置Ｆの正面構成図
【図２】同側面構成図
【図３】同正面構成図（第一フック体２伏倒状態）
【図４】同斜視構成図
【図５】同斜視構成図（第一フック体２伏倒状態）
【図６】同斜視構成図（第一フック体２および第二フック体３伏倒状態）
【図７】図１ないし図６に示されるフック装置Ｆと構成を異ならせるフック装置Ｆの斜視構成図
【図８】同平断面構成図
【図９】同平断面構成図（第一フック体２前進状態）
【図１０】同平断面構成図（第一フック体２および第二フック体３前進状態）
【図１１】同分解斜視構成図
【符号の説明】
【００６７】
Ｆ  フック装置
Ｐ  板状体
Ｐａ  端部
Ｈ  壁部
ｘ  間隔
１  ケース体
１０  第一維持手段
１１  第二維持手段
２  第一フック体
２０  フック端
２１  側部
３  第二フック体
【図１】
2005075100.tif 000003
【図２】
2005075100.tif 000004
【図３】
2005075100.tif 000005
【図４】
2005075100.tif 000006
【図５】
2005075100.tif 000007
【図６】
2005075100.tif 000008
【図７】
2005075100.tif 000009
【図８】
2005075100.tif 000010
【図９】
2005075100.tif 000011
【図１０】
2005075100.tif 000012
【図１１】
2005075100.tif 000013